(57)【要約】【課題】設置面から外れにくい傘立てを提供する。【解決手段】傘Ａの一部が挿入される貫通孔１１と、鉛直な設置面に固定する固定手段１５とを有する上部材１０と、傘の先端を受ける受け皿部２１と、設置面に固定する固定手段１５とを有する下部材２０と、下部材２０に取り付けられ、下部材２０の固定手段１５より下方において設置面に当接する当接部３３を有する支持部材３０と、を備える。【選択図】図１
2012245270.tif 000002
【特許請求の範囲】
【請求項１】
傘の一部が挿入される貫通孔と、鉛直な設置面に固定する固定手段とを有する上部材と、
傘の先端を受ける受け皿部と、前記設置面に固定する固定手段とを有する下部材と、
前記下部材に取り付けられ、前記下部材の前記固定手段より下方において前記設置面に当接する当接部を有する支持部材と、を備えることを特徴とする傘立て。
【請求項２】
前記下部材の前記固定手段は、前記支持部材の一部と係合して、前記支持部材が前記下部材から離脱することを防止するようになっている請求項１に記載の傘立て。
【請求項３】
前記上部材の前記固定手段および前記下部材の前記固定手段は、磁石である請求項１または２に記載の傘立て。
【発明の詳細な説明】
【技術分野】
【０００１】
本発明は、傘立てに関する。
【背景技術】
【０００２】
従来、金属製のドアなどに固定する傘立てとして、傘の一部を支持する上部材と、傘の先端を支持する下部材とからなり、上部材および下部材の背面側に固定された磁石で、金属製のドアなどに着脱可能に固定できるものが知られている（特許文献１参照）。
【先行技術文献】
【特許文献】
【０００３】
【特許文献１】実用新案登録第３０９６１２２号公報
【発明の概要】
【発明が解決しようとする課題】
【０００４】
しかしながら、この傘立ては、金属性のドアに磁石などで固定されているため、傘や傘に付着した雨水などの荷重が下部材にかかることにより、下部材が前方斜め下方に傾いて、不本意にドアから外れてしまう問題があった。
【０００５】
本発明は、上述した事情に鑑みてなされたものであり、その目的は、設置面から外れにくい傘立てを提供することにある。
【課題を解決するための手段】
【０００６】
［１］
傘の一部が挿入される貫通孔と、鉛直な設置面に固定する固定手段とを有する上部材と、
傘の先端を受ける受け皿部と、前記設置面に固定する固定手段とを有する下部材と、
前記下部材に取り付けられ、前記下部材の前記固定手段より下方において前記設置面に当接する当接部を有する支持部材と、を備えることを特徴とする傘立て。
【０００７】
［２］
前記下部材の前記固定手段は、前記支持部材の一部と係合して、前記支持部材が前記下部材から離脱することを防止するようになっている前項１に記載の傘立て。
【０００８】
［３］
前記上部材の前記固定手段および前記下部材の前記固定手段は、磁石である前項１または２に記載の傘立て。
【発明の効果】
【０００９】
前項［１］の発明によると、傘立ては、下部材に取り付けられ、下部材の固定手段より下方において設置面に当接する当接部を有する支持部材を備えているため、下部材に荷重がかかった際に、支持部材の当接部が設置面に当接することにより、下部材が前方斜め下方に傾くのを防止でき、鉛直な設置面から下部材を外れにくくできる。
【００１０】
前項［２］の発明によると、下部材の固定手段は、支持部材の一部と係合して、支持部材が下部材から離脱することを防止するようになっているため、支持部材を下部材に固定するために他の部材を用いる必要がなく、製造コストを低減できる。
【００１１】
前項［３］の発明によると、上部材の前記固定手段および下部材の固定手段に、磁石を採用したため、上部材および下部材をドアなどの鉛直な設置面から容易に着脱できる。
【図面の簡単な説明】
【００１２】
【図１】図１は、本発明の一実施形態にかかる傘立てを示す概略斜視図である。
【図２】図２は、本発明の一実施形態にかかる下部材を示す底面図である。
【図３】図３は、本発明の一実施形態にかかる上部材を示すＷ−Ｗ断面図である。
【図４】図４は、本発明の一実施形態にかかる上部材を示すＸ−Ｘ断面図である。
【図５】図５は、本発明の一実施形態にかかる下部材を示すＹ−Ｙ断面図である。
【図６】図６は、本発明の一実施形態にかかる下部材を示すＺ−Ｚ断面図である。
【図７】図７は、本発明の一実施形態にかかる傘立ての使用状態を示す斜視図である。
【発明を実施するための形態】
【００１３】
次に、本発明の一実施形態にかかる傘立てについて、図１〜図７を参照して説明する。
【００１４】
図１は、本発明の一実施形態にかかる傘立てを示す概略斜視図である。図２は、本発明の一実施形態にかかる下部材を示す底面図である。図３は、本発明の一実施形態にかかる上部材を示すＷ−Ｗ断面図である。図４は、本発明の一実施形態にかかる上部材を示すＸ−Ｘ断面図である。図５は、本発明の一実施形態にかかる下部材を示すＹ−Ｙ断面図である。図６は、本発明の一実施形態にかかる下部材を示すＺ−Ｚ断面図である。図７は、本発明の一実施形態にかかる傘立ての使用状態を示す斜視図である。
【００１５】
図１〜図６に示すように、傘立て１は、上部材１０と下部材２０と支持部材３０とを備えている。
【００１６】
上部材１０は、上部材本体１２と、上部材本体１２の中央部に傘Ａの一部が挿入される貫通孔１１と、鉛直な設置面に固定する固定手段１５とを有している。上部材本体１２の背面側には、固定手段１５を取り付ける凹部１３が形成されている。
【００１７】
固定手段１５は、上部材本体１２の凹部１３に取り付けられている。固定手段１５には磁石１７ａが採用され、この磁石１７ａは磁石ホルダー１７に固定されている。この磁石ホルダー１７には、係合部１８が形成され、係合部１８の先端部には外側へ広がる返し部１８ａが形成されている。磁石ホルダー１７は、磁石ホルダー１７の係合部１８が上部材１０の凹部１３の孔部１３ａに挿し入れられ、係合部１８の返し部１８ａが孔部１３ａの周縁部に係止することで固定される。
【００１８】
下部材２０は、下部材本体２８と、凹部状に形成された傘Ａの先端を受ける受け皿部２１と、固定手段１５と、を有している。
【００１９】
下部材本体２８の背面側には、固定手段１５を取り付ける凹部２３が形成されている。下部材本体２８には、内部に突出する仕切り壁２７が形成されている。
【００２０】
この仕切り壁２７と、凹部２３を形成する背面壁２６ａとの間には、支持部材３０が取り付けられている。図２に示すように、この支持部材３０は、コ字状になるように折り曲げられ、支持部材３０の両先端３２は、内側に向って直角に折り曲げられている。さらに、図５に示すように、この支持部材３０は、支持部材３０を下部材本体２８に取り付けた際に、支持部材３０の略中央部が、下部材２０の凹部２３の下面２５（下部材２０の下面２５）に沿うように背面２６側（設置面側）に折り曲げられている。さらに支持部材３０は、鉛直な設置面に沿うように再び折り曲げられてなり、設置面に当接する当接部３３が形成されている。この支持部材３０には、線材が採用されている。
【００２１】
この支持部材３０が下部材２０に配置された状態において、下部材本体２８の凹部２３には、固定手段１５が取り付けられている。この固定手段１５は、上部材１０と同様のものを採用している。この固定手段１５を構成する磁石ホルダー１７は、磁石ホルダー１７の係合部１８が、下部材本体２８の凹部２３の孔部２３ａに挿し入れられ、係合部１８の返し部１８ａが、孔部２３ａの周縁部に係止することで固定される。
【００２２】
さらに、図２に示すように、下部材２０の場合、下部材２０の固定手段１５すなわち、磁石ホルダー１７の係合部１８は、支持部材３０の先端３２と係合して、支持部材３０が下部材２０から下方に離脱することを防止するようになっている。
【００２３】
図７に示すように、本発明の傘立て１は、鉛直な設置面、たとえば金属製のドアなどに上部材１０および下部材２０を固定して使用する。たとえば図７の（Ａ）に示すように、上部材１０が傘Ａの略中央部にくるように配置して使用できる。図７の（Ｂ）に示すように、傘Ａの逆Ｕ字状の把手部の先端を上部材１０に引っ掛けるようにして使用できる。さらに図７の（Ｃ）に示すように、上部材１０と下部材２０とが接するように配置され、そこに折りたたみ傘Ａなどを挿し込んで使用できる。なお、上部材１０と下部材２０との配置位置などは、傘Ａの長さや傘の種類に合わせて適宜変更して使用できる。
【００２４】
上記実施形態の傘立て１は、次の利点がある。
【００２５】
上記実施形態によると、支持部材３０は、鉛直な設置面に沿うように再び折り曲げられてなり、設置面に当接する当接部３３が形成されているため、この当接部３３が設置面に当接することにより、下部材２０に荷重がかかった際に、下部材２０が前方斜め下方に傾くのを防止でき、鉛直な設置面から下部材２０を外れにくくできる。
【００２６】
上記実施形態によると、この仕切り壁２７と、凹部２３を形成する背面壁２６ａとの間には、支持部材３０が取り付けられ、この状態で下部材２０の凹部２３の孔部２３ａに磁石ホルダー１７の係合部１８が挿し入れられているため、支持部材３０を下部材２０から引き抜こうとすると、下部材２０の固定手段１５すなわち、磁石ホルダー１７の係合部１８は、支持部材３０の先端３２と係合して、支持部材３０が下部材２０から離脱することを防止するようになっている。これにより、支持部材３０を下部材２０に固定するために他の部材を用いる必要がなく、製造コストを低減できる。
【００２７】
上記実施形態によると、上部材１０の固定手段１５および下部材２０の固定手段１５に、磁石１７ａを採用したため、上部材１０および下部材２０をドアなどの鉛直な設置面から容易に着脱できる。
【００２８】
以上、本発明を一実施形態に基づいて説明してきたが、本発明は上記実施形態に限定されるものではなく、その発明の範囲内で適宜変更でき、たとえば以下のように構成して良い。
【００２９】
（１）上記実施形態で説明した固定手段１５の位置、大きさおよび個数などは、実施形態に応じて適宜変更できる。
【００３０】
（２）上記実施形態では、固定手段１５に磁石１７ａを採用したが、本発明はこれに限定するものではなく、たとえば、吸盤などの使用状況に応じて容易に着脱できるその他の固定手段を採用することができ、磁石に限定するものではない。
【００３１】
（３）上記実施形態では、支持部材３０に折り曲げた線材を採用したが、本発明はこれに限定されるものはなく、たとえば支持部材３０と下部材２０とを樹脂などで一体成形することで、当接部３３を支持部材３０の一部分としても良い。
【符号の説明】
【００３２】
１      傘立て
１０    上部材
１１    貫通孔
１５    固定手段
１７ａ  磁石
２０    下部材
２１    受け皿部
３０    支持部材
３３    当接部
Ａ      傘
【図１】
2012245270.tif 000003
【図２】
2012245270.tif 000004
【図３】
2012245270.tif 000005
【図４】
2012245270.tif 000006
【図５】
2012245270.tif 000007
【図６】
2012245270.tif 000008
【図７】
2012245270.tif 000009